(57)【要約】【課題】予め設定された時刻範囲内の場合に、ＡＣ電源から供給される電力の電子機器への供給を控えること。【解決手段】実施形態によれば、第１のバッテリを有する電子機器と接続される拡張装置は、第２のバッテリと、供給部と、制御手段とを具備する。供給部は、ＡＣ電源から生成される第１の電力および前記第２のバッテリからの第２の電力の一方を前記電子機器に供給する。制御手段は、時刻が設定時刻範囲内、前記第１のバッテリの第１の残容量が第１の設定値より少なく、前記第２のバッテリの第２の残容量が第２の設定値より少ない場合に、前記供給部に前記第１の電力の前記電子機器への供給を要求する。【選択図】    図２
2014149651.tif 000002
【特許請求の範囲】
【請求項１】
第１のバッテリを有する電子機器と接続される拡張装置であって、
第２のバッテリと、
ＡＣ電源から生成される第１の電力および前記第２のバッテリからの第２の電力の一方を前記電子機器に供給する供給部と、
時刻が設定時刻範囲内、前記第１のバッテリの第１の残容量が第１の設定値より少なく、前記第２のバッテリの第２の残容量が第２の設定値より少ない場合に、前記供給部に前記第１の電力の前記電子機器への供給を要求する制御手段と
を具備する拡張装置。
【請求項２】
前記時刻が前記設定時刻範囲内、前記第２の残容量が第２の設定値より少なくない場合、前記制御手段は、前記供給部に前記第２の電力の前記電子機器への供給を要求する
請求項１に記載の拡張装置。
【請求項３】
前記時刻が前記設定時刻範囲内、前記第１のバッテリの残容量が前記第１の設定値より少なくなく、前記第２の残容量が第２の設定値より少ない場合、前記制御手段は、前記第１の電力および前記第２の電力の供給を停止することを前記供給部に要求する
請求項２に記載の拡張装置。
【請求項４】
前記時刻が前記設定時刻範囲内、前記第１の残容量が第１の設定値より少なく、前記第２の残容量が前記第２の設定値より少なくない場合、前記制御手段は、前記供給部に前記第２の電力の前記電子機器への供給を要求する
請求項１に記載の拡張装置。
【請求項５】
前記拡張装置は、時刻を計時する第１の計時手段を更に具備し、
前記電子機器は、時刻を計時する第２の計時手段を更に具備し、
前記拡張装置は、前記第２の計時手段によって計時されている時刻と、前記第１の計時手段によって計時されている時刻とを同期させる同期手段を更に具備する請求項１に記載の拡張装置。
【請求項６】
前記電子機器は、時刻を計時する計時手段を更に具備し、
前記拡張装置は、前記計時手段から時刻を取得する取得手段を更に具備する
請求項１に記載の拡張装置。
【請求項７】
前記拡張装置は、前記ＡＣ電源から生成される第３の電力を用いて前記第２のバッテリを充電する充電部を更に具備し、
前記時刻が前記設定時刻範囲内の場合、前記制御手段は、前記充電部に前記第２のバッテリの充電の停止を要求する
請求項１に記載の拡張装置。
【請求項８】
電子機器と、前記電子機器接続される拡張装置とを含むシステムであって、
前記電子機器は、
第１のバッテリと、
を具備し、
前記拡張装置は、
第２のバッテリと、
ＡＣ電源から生成される第２の電力および前記第２のバッテリからの第３の電力の一方を前記電子機器に供給する供給部と、
前記時刻が設定時刻範囲内、前記第１のバッテリの第１の残容量が第１の設定値より少なく、前記第２のバッテリの第２の残容量が第２の設定値より少ない場合に、前記供給部に前記第２の電力の前記電子機器への供給を要求する制御手段とを具備する
システム。
【請求項９】
第１のバッテリを有する電子機器にＡＣ電源から生成される第１の電力および第２のバッテリからの第２の電力の一方を供給する拡張装置の電力供給方法であって、
時刻が設定時刻範囲内、前記第１のバッテリの第１の残容量が第１の設定値より少なく、前記拡張装置に設けられた前記第２のバッテリの第２の残容量が第２の設定値より少ない場合に、前記第１の電力を前記電子機器に供給する
電力供給方法。
【発明の詳細な説明】
【技術分野】
【０００１】
本発明の実施形態は、ＡＣ電源の使用の集中を低減する技術に関する。
【背景技術】
【０００２】
ノート型パーソナルコンピュータなどの電子機器は、バッテリ駆動と外部電源（商用電源）駆動（ＡＣ電源駆動）の何れによっても駆動可能である。このため、電子機器は、机上に載置してＡＣ電源駆動により使用したり、他の場所に持ち出してバッテリ駆動により使用したりできる。
【０００３】
一方、電子機器には、電力需要の高い時間帯に電力消費（ＡＣ電源駆動による電力消費）を低減するためのピークシフト機能が設けられている。ピークシフト機能は、予め設定されたピークシフト時間帯に入ると、ＡＣ電源からの供給を停止し、バッテリ駆動に切り替えることで、ＡＣ電源駆動による電力消費を低減することができる。
【先行技術文献】
【特許文献】
【０００４】
【特許文献１】特開平１０−１９８４６８号公報
【発明の概要】
【発明が解決しようとする課題】
【０００５】
現在、パソコンに接続される拡張装置にバッテリを内蔵させることが考えられている。拡張装置の接続時、ピークシフト適用時間帯であってもＡＣ電源から電力供給を受けてしまい、電力需要が集中してしまう。
【０００６】
本発明が解決しようとする課題は、予め設定された時刻範囲内の場合に、ＡＣ電源から供給される電力の電子機器への供給を控えることが可能な拡張装置、システム、および電力供給方法を提供することである。
【課題を解決するための手段】
【０００７】
実施形態によれば、第１のバッテリを有する電子機器と接続される拡張装置は、第２のバッテリと、供給部と、制御手段とを具備する。供給部は、ＡＣ電源から生成される第１の電力および前記第２のバッテリからの第２の電力の一方を前記電子機器に供給する。制御手段は、時刻が設定時刻範囲内、前記第１のバッテリの第１の残容量が第１の設定値より少なく、前記第２のバッテリの第２の残容量が第２の設定値より少ない場合に、前記供給部に前記第１の電力の前記電子機器への供給を要求する。
【図面の簡単な説明】
【０００８】
【図１】実施形態の電子機器および拡張装置を含むシステムの外観の一例を示す斜視図。
【図２】実施形態の電子機器および拡張装置のシステム構成を示すブロック図。
【図３】実施形態のピークシフト機能に関係するモジュールの関係を示す図。
【図４】実施形態のピークシフト設定画面の一例を示す図。
【図５】制御部によるパーソナルコンピュータに供給する電力の制御の手順を示すフローチャート。
【図６】制御部によるパーソナルコンピュータに供給する電力の制御の手順を示すフローチャート。
【発明を実施するための形態】
【０００９】
以下、実施の形態について図面を参照して説明する。
【００１０】
（第１の実施形態）
まず、図１、図２、および図３を参照して、本発明の第１の実施形態に係る電子機器および拡張装置から構成されるシステムの構成について説明する。この電子機器は、タブレットコンピュータ、ノートブック型パーソナルコンピュータ、スマートフォン、ＰＤＡ等として実現され得る。本実施形態では、電子機器は、バッテリ駆動可能な携帯型のノートブック型パーソナルコンピュータ１０として実現されている場合について説明する。
【００１１】
図１はノートブック型パーソナルコンピュータのディスプレイユニットを開いた状態、および拡張装置としてのドッカーの斜視図である。
【００１２】
本コンピュータ１０は、コンピュータ本体１１と、ディスプレイユニット１２とから構成されている。ディスプレイユニット１２には、ＬＣＤ（Liquid Crystal Display）１７から構成される表示装置が組み込まれており、そのＬＣＤ１７の表示画面はディスプレイユニット１２のほぼ中央に位置されている。
【００１３】
ディスプレイユニット１２は、コンピュータ本体１１に対して開放位置と閉塞位置との間を回動自在に取り付けられている。コンピュータ本体１１は薄い箱形の筐体を有しており、その上面にはキーボード１３、タッチパッド１４、本コンピュータ１０を電源オン／オフするための電源ボタン１６、およびスピーカ１８Ａ、１８Ｂなどが配置されている。
【００１４】
また、コンピュータ本体１１には、電源コネクタが設けられている。電源コネクタには、外部電源装置が取り外し自在に接続される。外部電源装置としては、ＡＣアダプタを用いることが出来る。ＡＣアダプタは商用の外部電源（ＡＣ電力）をＤＣ電力に変換する電源装置である。
【００１５】
バッテリは、例えば、コンピュータ本体１１の後端部に取り外し自在に装着される。バッテリはパーソナルコンピュータ１０に内蔵されるバッテリであってもよい。
【００１６】
コンピュータ１０を拡張装置としてのドッカー２０に設置すると、ドッカー２０に設けられたドッキングコネクタと、コンピュータ１０の裏面側に設けられたドッキングポートとが接続される。コンピュータ１０とドッカー２０とが接続されると、ドッカー２０からのコンピュータ１０への駆動電力の供給、およびコンピュータ１０とドッカー２０との間での信号の伝達が行えるようになる。
【００１７】
また、ドッカー２０の背面には電源コネクタが設けられている。電源コネクタには、外部電源装置が取り外し自在に接続される。外部電源装置としては、ＡＣアダプタ２５０を用いることが出来る。ＡＣアダプタ２５０は商用の外部電源（ＡＣ電力）をＤＣ電力に変換する電源装置である。
【００１８】
ドッカー２０の接続時、パーソナルコンピュータ１０は、ドッカー２０からの電力、またはパーソナルコンピュータ１０内のバッテリからの電力によって駆動される（ＡＣ電源駆動、バッテリ駆動）。通常、ドッカー２０が接続されている場合、パーソナルコンピュータ１０はドッカー２０からの電力によって駆動される。ドッカー２０の接続時、パーソナルコンピュータ１０の電源コネクタには、ＡＣアダプタが接続されない。
【００１９】
また、ドッカー２０からの電力は、パーソナルコンピュータ１０内のバッテリを充電するためにも用いられる。パーソナルコンピュータ１０がドッカー２０に接続されていない、および電源コネクタに外部電源装置が接続されていない期間中は、パーソナルコンピュータ１０はバッテリ１４０からの電力によって駆動される。
【００２０】
図２は、実施形態におけるパーソナルコンピュータ１０およびドッカーのシステム構成を示している。
【００２１】
パーソナルコンピュータ１０は、ＣＰＵ１１１、システムコントローラ１１２、メインメモリ１１３、グラフィクスプロセッシングユニット（ＧＰＵ）１１４、サウンドコーデック１１５、ＢＩＯＳ−ＲＯＭ１１６、ハードディスクドライブ（ＨＤＤ）１１７、光ディスクドライブ（ＯＤＤ）１１８、無線ＬＡＮモジュール１２１、エンベデッドコントローラ／キーボードコントローラＩＣ（ＥＣ／ＫＢＣ）１３０、ＲＴＣ（Real Time Clock）１３１、システム電源回路１４１、充電回路１４２、Ｃｈａｒｇｅｒ  ＩＣ１４３等を備えている。
【００２２】
ＣＰＵ１１１は、パーソナルコンピュータ１０の各コンポーネントの動作を制御するプロセッサである。ＣＰＵ１１１は、ＨＤＤ１１７からメインメモリ１１３にロードされる各種プログラムを実行する。プログラムは、オペレーティングシステム（ＯＳ）及び各種アプリケーションプログラムを含む。アプリケーションプログラムは、電源管理アプリケーションプログラム２０２を含む。電源管理アプリケーションプログラム２０２は、ピークシフト機能を実現するためのプログラムである。ピークシフト機能は、電力需要の高い時間帯に電力消費（ＡＣ電源駆動による電力消費）を低減するための機能である。
【００２３】
また、ＣＰＵ１１１は、不揮発性メモリであるＢＩＯＳ−ＲＯＭ１１６に格納される基本入出力システム（ＢＩＯＳ）も実行する。ＢＩＯＳはハードウェア制御のためのシステムプログラムである。
【００２４】
ＧＰＵ１１４は、パーソナルコンピュータ１０のディスプレイモニタとして使用されるＬＣＤ１７を制御する表示コントローラである。ＧＰＵ１１４は、ビデオメモリ（ＶＲＡＭ）１１４Ａに格納される表示データからＬＣＤ１７に供給すべき表示信号（ＬＶＤＳ信号）を生成する。さらに、ＧＰＵ１１４は、表示データからアナログＲＧＢ信号及びＨＤＭＩビデオ信号を生成することもできる。アナログＲＧＢ信号はＲＧＢポート２４を介して外部ディスプレイに供給される。ＨＤＭＩ出力端子２３は、ＨＤＭＩビデオ信号（非圧のデジタル映像信号）と、デジタルオーディオ信号とを一本のケーブルで外部ディスプレイに送出することができる。ＨＤＭＩ制御回路１１９は、ＨＤＭＩビデオ信号及びデジタルオーディオ信号をＨＤＭＩ出力端子２３を介して外部ディスプレイに送出するためのインタフェースである。
【００２５】
システムコントローラ１１２は、ＣＰＵ１１１と各コンポーネントとの間を接続するブリッジデバイスである。システムコントローラ１１２は、ハードディスクドライブ（ＨＤＤ）１１７及び光ディスクドライブ（ＯＤＤ）１１８を制御するためのシリアルＡＴＡコントローラを内蔵している。
【００２６】
また、システムコントローラ１１２には、ＵＳＢポート２２、無線ＬＡＮモジュール１２１等のデバイスが接続される。
【００２７】
さらに、システムコントローラ１１２は、バスを介して接続される各デバイスとの通信を実行する。
【００２８】
ＥＣ／ＫＢＣ１３０は、バスを介して、システムコントローラ１１２と接続されている。また、ＥＣ／ＫＢＣ１３０は、シリアルバスを介して、Ｃｈａｒｇｅｒ  ＩＣ１４３、及びバッテリ１４０と相互に接続されている。
【００２９】
ＥＣ／ＫＢＣ１３０は、パーソナルコンピュータ１０の電力管理を実行するための電力管理コントローラであり、例えば、キーボード（ＫＢ）１３及びタッチパッド１４などを制御するキーボードコントローラを内蔵したワンチップマイクロコンピュータとして実現されている。ＥＣ／ＫＢＣ１３０は、ユーザによる電源スイッチ１６の操作に応じてパーソナルコンピュータ１０をパワーオン及びパワーオフする機能を有している。パーソナルコンピュータ１０のパワーオン及びパワーオフの制御は、ＥＣ／ＫＢＣ１３０によってシステム電源回路１４１に対し実行される。  
ＲＴＣ（Real Time Clock）１３１は、時刻を計時する機能を有する。
【００３０】
Ｃｈａｒｇｅｒ  ＩＣ１４３は、ＥＣ／ＫＢＣ１３０の制御のもとで充電回路１４２を制御するＩＣである。ＥＣ／ＫＢＣ１３０、Ｃｈａｒｇｅｒ  ＩＣ１４３、及びシステム電源回路１４１は、パーソナルコンピュータ１０がパワーオフされている期間中も、バッテリ１４０、または電源コネクタ２１に接続されたＡＣアダプタ１５０からの電力によって動作する。
【００３１】
システム電源回路１４１は、バッテリ１４０からの電力、コンピュータ本体１１に外部電源として接続されるＡＣアダプタ１５０からの電力、およびドッカーの何れかからの電力を用いて、各コンポーネントへ供給すべき電力（動作電源）を生成する。また、システム電源回路１４１は、充電回路１４２によってバッテリ１４０に充電する電力を供給する。
【００３２】
充電回路１４２は、Ｃｈａｒｇｅｒ  ＩＣ１４３の制御により、システム電源回路１４１を通じで供給される電力を使用してバッテリ１４０を充電する。
【００３３】
ドッカー２０は、制御部３０１、供給部３０２、バッテリ３４０、ＲＴＣ（Real Time Clock）３３１、電源回路３４１、充電回路３４２、Ｃｈａｒｇｅｒ  ＩＣ３４３等を備えている。
【００３４】
ＲＴＣ（Real Time Clock）３３１は、時刻を計時する機能を有する。なお、制御部３０１が、パーソナルコンピュータ１０に設けられたＲＴＣ１３１からシリアル通信によって時刻情報を入手することが可能であれば、ＲＴＣ３３１は不要である。
【００３５】
Ｃｈａｒｇｅｒ  ＩＣ３４３は、制御部３０１の制御のもとで充電回路３４２を制御するＩＣである。
【００３６】
電源回路３４１は、バッテリ３４０からの電力、または外部電源として接続されるＡＣアダプタ３５０から電源コネクタ３２１を経由して供給される電力を用いて、ドッカー２０内の各コンポーネントおよびパーソナルコンピュータ１０へ供給すべき電力（動作電源）を生成する。また、電源回路３４１は、充電回路３４２によってバッテリ３４０に充電する電力を供給する。
【００３７】
充電回路３４２は、Ｃｈａｒｇｅｒ  ＩＣ３４３の制御により、電源回路３４１を通じて供給される電力を使用してバッテリ３４０を充電する。
【００３８】
制御部３０１は、パーソナルコンピュータ１０に供給する電力の管理を行う。制御部３０１は、ＲＴＣ３３１によって計時された時刻に基づいて、ピークシフト時のパーソナルコンピュータ１０に供給する電力の管理を行う。ピークシフト時、制御部３０１は、バスを介してパーソナルコンピュータ１０のバッテリ（以下、本体バッテリ）１４０の残容量（以下、本体残容量）およびバッテリ（以下、ドッカーバッテリ）３４０の残容量（ドッカー残容量）を取得する。制御部３０１は、本体残容量およびドッカー残容量の少なくとも一方に基づいて、パーソナルコンピュータ１０に供給する電力の管理を行う。また、制御部３０１は、バスを介してＥＣ／ＫＢＣからＲＴＣ１３１の計時している時刻を取得する。制御部３０１は、取得した時刻に基づいて、ＲＴＣ１３１の時刻とＲＴＣ３３１の時刻とを同期させる。供給部３０２は、制御部３０１からの要求に応じて、バッテリ３４０、またはＡＣアダプタ２５０からの電力をパーソナルコンピュータ１０に供給する。
【００３９】
制御部３０１は、ピークシフト時、Ｃｈａｒｇｅｒ  ＩＣ３４３にドッカーバッテリ３４０の充電の禁止を要求する。Ｃｈａｒｇｅｒ  ＩＣ３４３は、充電回路３４２によるドッカーバッテリ３４０の充電を禁止させるための制御を行う。
【００４０】
次に、実施形態におけるパーソナルコンピュータ１０のピークシフト機能の動作について説明する。  
図３は、実施形態のピークシフト機能に関係するモジュールの関係を示す図である。まず、ピークシフト機能に関係する各種設定について説明する。
【００４１】
電源管理アプリケーションプログラム２０２は、ＬＣＤ１７に設定画面を表示させる。
【００４２】
図４は、実施形態のピークシフト設定画面の一例を示す図である。図４に示すピークシフト設定画面では、ピークシフト時間を設定するための開始時刻と終了時刻の入力エリアＴＳ，ＴＥが設けられている。各エリアＴＳ，ＴＥには、ユーザがキーボード１３やタッチパッド１４等を操作することにより、設定データを入力することができる。
【００４３】
ピークシフト時間は、一般に電力需要の高い時間が指定される。図４に示す例では、１３：００〜１７：００がピークシフト時間として設定された例を示している。
【００４４】
電源管理アプリケーションプログラム２０２により入力された設定データは、ＢＩＯＳ１１６Ａを経由してＥＣ／ＫＢＣ１３０および制御部３０１に設定される。すなわち、設定データは、ＥＣ／ＫＢＣ１３０によりアクセス可能な不揮発性の記録媒体に記録される。また、設定データは、制御部３０１によりアクセス可能な不揮発性の記録媒体に記録される。
【００４５】
なお、前述した各種設定は、電源管理アプリケーションプログラム２０２ではなく、他のユーティリティプログラム等により実行しても良い
次に、ピークシフト時のドッカーからの電力供給について説明する。  
ピークシフト時間の場合、制御部３０１は、本体バッテリ１４０の残量およびドッカーバッテリ２２０の残量に応じて、パーソナルコンピュータ１０に供給する電力を制御する。
【００４６】
制御部３０１による、パーソナルコンピュータ１０に供給する電力の制御について図５のフローチャートを参照して説明する。
【００４７】
制御部は３０１、パーソナルコンピュータ１０がドッカー２０に接続されているかを判定する（ステップＢ１１）。パーソナルコンピュータ１０がドッカー２０に接続されていると判定した場合（ステップＢ１１のＹｅｓ）、制御部３０１は、ＲＴＣ３３１から現在時刻を取得する（ステップＢ１２）。制御部３０１は、現在時刻がピークシフトの時刻範囲内であるかを判定する（ステップＢ１３）。ピークシフトの時刻範囲内ではないと判定した場合（ステップＢ１３のＹｅｓ）、制御部３０１は、ＡＣアダプタ３５０からの電力をパーソナルコンピュータ１０に供給するように要求する（ステップＢ１４）。ピークシフトの時刻範囲内であると判定した場合（ステップＢ１３のＹｅｓ）、制御部３０１は、ドッカーバッテリ３４０から残容量（以下、ドッカー残容量）を取得する（ステップＢ１５）。ドッカー残容量が設定された第１閾値以下であるかを判定する（ステップＢ１６）。第１閾値以下ではないと判定した場合（ステップＢ１６のＮｏ）、制御部３０１は、供給部３０２にドッカーバッテリ３４０からの電力をパーソナルコンピュータ１０に供給するように要求する（ステップＢ１７）。第１閾値以下であると判定した場合（ステップＢ１６のＹｅｓ）、制御部３０１は、本体バッテリ１４０の残容量（以下、本体残容量）を取得する（ステップＢ１８）。制御部３０１は、本体残容量が設定された第２閾値以下であるかを判定する（ステップＢ１９）。第２閾値以下ではないと判定した場合（ステップＢ１９のＮｏ）、制御部３０１は、パーソナルコンピュータ１０へのドッカーバッテリ３４０およびＡＣアダプタ２５０からの電力の供給を停止するように供給部３０２に要求する（ステップＢ２０）。第２閾値以下であると判定した場合（ステップＢ１９のＹｅｓ）、制御部３０１は、ＡＣアダプタ３５０からの電力をパーソナルコンピュータ１０に供給するように要求する（ステップＢ２１）。
【００４８】
なお、パーソナルコンピュータ１０は、ドッカー２０から電力が供給されていれば、ドッカーから供給されている電力を用いて、本体を駆動する。ドッカー２０から電力が供給されていなければ、本体バッテリ１４０を用いて本体を駆動する。
【００４９】
（第２の実施形態）
第１の実施形態では、ピークシフト時にドッカーバッテリ３４０を優先的に使用するようになっている。本実施形態では、ピークシフト時に本体バッテリ１４０を優先的に使用するようになっている。
【００５０】
制御部３０１による、パーソナルコンピュータ１０に供給する電力の制御について図６のフローチャートを参照して説明する。
【００５１】
制御部３０１は、パーソナルコンピュータ１０が接続されているかを判定する（ステップＢ３１）。パーソナルコンピュータ１０が接続されていると判定した場合（ステップＢ３１のＹｅｓ）、制御部３０１は、ＲＴＣ３３１から現在時刻を取得する（ステップＢ３２）。制御部３０１は、現在時刻がピークシフトの時刻範囲内であるかを判定する（ステップＢ３３）。ピークシフトの時刻範囲内ではないと判定した場合（ステップＢ３３のＮｏ）、制御部３０１は、供給部３０２にＡＣアダプタ３５０からの電力をパーソナルコンピュータ１０に供給するように要求する（ステップＢ３４）。ピークシフトの時刻範囲内であると判定した場合（ステップＢ３３のＹｅｓ）、制御部３０１は、本体バッテリ１４０から残容量（本体バッテリ残容量）を取得する（ステップＢ３５）。制御部３０１は、本体残容量が第２閾値以下であるかを判定する（ステップＢ３６）。第２閾値以下ではないと判定した場合（ステップＢ３６のＮｏ）、制御部３０１は、パーソナルコンピュータ１０へのドッカーバッテリ３４０およびＡＣアダプタ２５０からの電力の供給を停止するように供給部３０２に要求する（ステップＢ３７）。第２閾値以下であると判定した場合（ステップＢ３６のＹｅｓ）、制御部３０１は、ドッカーバッテリ３４０から残容量（以下、ドッカー残容量）を取得する（ステップＢ３８）。ドッカー残容量が第１閾値以下であるかを判定する（ステップＢ３９）。第１閾値以下ではないと判定した場合（ステップＢ３９のＮｏ）、制御部３０１は、供給部３０２にドッカーバッテリ３４０からの電力をパーソナルコンピュータ１０に供給するように要求する（ステップＢ４０）。第１閾値以下であると判定した場合（ステップＢ３９のＹｅｓ）、制御部３０１は、ＡＣアダプタ３５０からの電力をパーソナルコンピュータ１０に供給するように供給部３０２に要求する（ステップＢ４１）。
【００５２】
なお、パーソナルコンピュータ１０は、ドッカー２０から電力が供給されていれば、ドッカーから供給されている電力を用いて、本体を駆動する。ドッカー２０から電力が供給されていなければ、本体バッテリ１４０を用いて本体を駆動する。
【００５３】
ＲＴＣ３３１によって計時されている時刻が設定時刻範囲内、本体バッテリ１４０の残容量が第１閾値以下、ドッカーバッテリ３４０の残容量が第２閾値以下の場合、制御部３０１が、ＡＣアダプタ２５０からの電力のパーソナルコンピュータ１０への供給を供給部３０２に要求することで、予め設定された時刻範囲内の場合に、ＡＣアダプタ２５０からのパーソナルコンピュータ１０への供給を控えることが可能になる。
【００５４】
以上、第１および第２の実施形態によれば、ピークシフト時に、本体バッテリ１４０の残容量が第１閾値より少なく、ドッカーバッテリ３４０の残容量が第２閾値より少ない場合に、制御部３０１が供給部３０２にＡＣアダプタ３５０から生成された電力のパーソナルコンピュータ１０への供給を要求することで、ピークシフト時に、ＡＣアダプタ３５０から供給される電力のパーソナルコンピュータ１０への供給を控えることが可能になる。
【００５５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５６】
１０…ノートブック型パーソナルコンピュータ、２０…ドッカー、１１１…ＣＰＵ、１１２…システムコントローラ、１１３…メインメモリ、１３１…ＲＴＣ、１４０…バッテリ、１４１…システム電源回路、３０１…制御部、３０２…供給部、３３１…ＲＴＣ、３４０…バッテリ、３４１…電源回路、３５０…ＡＣアダプタ。
【図１】
2014149651.tif 000003
【図２】
2014149651.tif 000004
【図３】
2014149651.tif 000005
【図４】
2014149651.tif 000006
【図５】
2014149651.tif 000007
【図６】
2014149651.tif 000008